(57)【要約】【課題】オペレータが手動引当を行う際に、引当可能な在庫ロットの情報を与えるだけでなく、引当可能量の判断が難しい状況においても、正しい判断ができる情報を提供する。【解決手段】原材料のロットごとの在庫保有情報と使用予定情報と引当情報とを入力するデータ取得部１２１と、前記データ取得部１２１により入力された情報に基づいて、原材料のロットごとの引当可能量を算出する引当可能量計算部１２２と、原材料ごとの引当未実施使用予定量を算出する引当未実施使用予定量計算部１２３と、前記データ取得部１２１により入力された情報と、前記引当可能量計算部１２２及び引当未実施使用予定量計算部１２３から算出された情報とを表示する情報表示部１２４とを備える。【選択図】図１
2008152466.tif 000002
【特許請求の範囲】
【請求項１】
原材料のロットごとの在庫保有情報と使用予定情報と引当情報とを入力するデータ取得部と、
前記データ取得部により入力された情報に基づいて、原材料のロットごとの引当可能量を算出する引当可能量計算部と、
前記データ取得部により入力された情報に基づいて、原材料ごとの引当未実施使用予定量を算出する引当未実施使用予定量計算部と、
前記データ取得部により入力された情報と、前記引当可能量計算部及び引当未実施使用予定量計算部から算出された情報とを表示する情報表示部とを備えた在庫ロット引当管理システム。
【請求項２】
請求項１記載の在庫ロット引当管理システムにおいて、
前記情報表示部は、前記データ取得部より入力された原材料のロットごとの在庫保有情報、使用予定情報及び引当情報と、前記引当可能量計算部及び引当未実施使用予定量計算部から算出された、前記原材料のロットごとの引当可能量及び前記原材料ごとの引当未実施使用予定量とをそれぞれ関連付けて表示することを特徴とする在庫ロット引当管理システム。
【請求項３】
請求項２記載の在庫ロット引当管理システムにおいて、
前記情報表示部は、引当可能な原材料のロットに関する情報を表示する際に、色替え表示することを特徴とする在庫ロット引当管理システム。
【発明の詳細な説明】
【技術分野】
【０００１】
本発明は、製品に使用する原材料の使用予定量と、原材料のロットごとの在庫保有量に基づいて、原材料のロットごとの使用計画を立案するための在庫ロット引当管理システムに関する。
【背景技術】
【０００２】
一般に原材料の在庫保有量は、製品に使用する原材料の使用予定量と現在の在庫保有量とを基に、資材所要量計画を行い、使用予定量の総和に見合う数量となるような補充が行われる。また、製品の特性は使用する原材料の特性に依存する場合が少なくないため、品質を安定させるために、一度の生産に使用する原材料の在庫ロットは、できるだけひとつのロットまたは組み合わせるロット数の少ない組み合わせになるように計画する。更に、原材料の使用可能期限などの制約から、原材料の入庫日の古いものから順番に使用するなどの条件がある。これらの条件を考慮し、実際に使用する原材料のロットを指定（以下、引当と記す）して、ロットごとの使用計画を立案するための在庫ロット引当管理システムがある。
【０００３】
特許文献１には、原材料のロットの連続性やロットの先入れ先出しなどの制約を考慮して、最適なロットを決定して自動引当する原料ロット決定装置の例についての開示がある。
【特許文献１】特開２０００−１５８２９９号公報
【発明の開示】
【発明が解決しようとする課題】
【０００４】
上記従来の方法では、計算機で処理可能な特定の条件のもとで、原材料の在庫ロットを自動引当する方法を提案しているが、制約条件が複雑であるなどの理由から、計算機で処理可能な条件として表現することが困難な場合も多い。また、製品や製造ラインなどに固有の制約条件もあるため、必ずしも最適なロットを決定できない場合もあった。そのため、自動引当が可能な在庫ロット引当管理システムにおいても、オペレータによる手動引当が必要になるという問題があった。
【０００５】
オペレータが手動引当を行う場合、オペレータに対してどの在庫ロットが引当可能であるかの情報を与えることが必要となるが、従来の方法では引当可能なロットの情報を提供する手段がなかった。更に、原材料の複数の在庫ロットの在庫保有量の総量が使用予定量を上回る状態であっても、複数のロットを混在して使用してはならないという条件がある場合や、生産ラインなどの制約上、ロットの保有量がごく少量の場合は引当できない場合などには、実際には引当できない。このように、従来の方法では、在庫保有量の総量が使用予定量を上回る状態でも引当てできないという、通常管理している在庫量などの情報だけでは判断できないような在庫保有量不足に陥っている状況を、オペレータに知らせることはできなかった。
【０００６】
本発明はかかる点に鑑みてなされたものであり、オペレータが手動引当を行う際に、引当可能な在庫ロットの情報を与えるだけでなく、通常管理している在庫量などの情報だけでは引当可能量の判断が難しい状況においても、正しい判断ができるような情報を提供することを目的とする。
【課題を解決するための手段】
【０００７】
本発明は、原材料のロットごとの在庫保有情報と使用予定情報と引当情報とを入力するデータ取得部と、前記データ取得部により入力された情報に基づいて、原材料のロットごとの引当可能量を算出する引当可能量計算部と、前記データ取得部により入力された情報に基づいて、原材料ごとの引当未実施使用予定量を算出する引当未実施使用予定量計算部と、前記データ取得部により入力された情報と、前記引当可能量計算部及び引当未実施使用予定量計算部から算出された情報とを表示する情報表示部とを備える。
【０００８】
また、上記情報表示部は、データ取得部より入力された原材料のロットごとの在庫保有情報、使用予定情報及び引当情報と、前記引当可能量計算部及び引当未実施使用予定量計算部から算出された、前記原材料のロットごとの引当可能量及び前記原材料ごとの引当未実施使用予定量とをそれぞれ関連付けて表示するようにした。
【０００９】
更に、上記情報表示部は、引当可能な原材料のロットに関する情報を表示する際に、色替え表示できるようにした。
【発明の効果】
【００１０】
本発明によると、オペレータが手動引当を行う際に必要な、引当可能な在庫ロットの情報を与えてロット引当を実施するとともに、通常管理している在庫量などの情報だけでは判断できない在庫保有量不足の状況をオペレータに判断させるために必要な情報を提供することができる。
【００１１】
更に、原材料の使用予定情報に対して、該当する原材料のロットごとの在庫保有情報、引当済み情報、引当可能量情報などを表示することにより、オペレータが新たな引当情報を登録する際に引当て可能なロットを容易に判断することができる。また、関連する他のロットの引当情報を表示することで、より効率的、経済的に原材料を使用するために原材料のロットごとの使用計画を見直すことも可能となる。
【発明を実施するための最良の形態】
【００１２】
以下、本発明の一実施の形態を、添付図面を参照して説明する。
【００１３】
図１は、本例の構成例を示す構成図である。図１を参照して本例の構成について説明する。なお、図１に示す在庫ロット引当管理システムは、例えばメモリ、ＣＰＵ（Central Processing Unit：中央処理装置）等を備えたコンピュータに、該当する処理を行うプログラムを実装し、そのプログラムをメモリに読み込み、ＣＰＵが実行することで実現したものである。
【００１４】
本例は、原材料の在庫保有量や使用予定量や引当量などに関する情報を格納する入力ファイル１１０と、入力ファイル１１０から必要な情報を取得し、原材料ごとの引当未実施使用予定量および原材料ロットごとの引当可能量を算は出する処理部１２０と、例えばキーボード、マウスなどの入力手段とディスプレイなどの出力手段から構成し、処理部１２０にて算出された結果を表示するための入出力装置１３０から構成する。
【００１５】
入力ファイル１１０には、原材料ロット別在庫保有量情報ファイル１１１、製品ロット別原材料使用予定量情報ファイル１１２、製品ロット別原材料ロット引当情報ファイル１１３が格納されている。原材料ロット別在庫保有量情報ファイル１１１には、原材料のロットごとの在庫保有量を格納している。製品ロット別原材料使用予定量情報ファイル１１２には、製造する製品のロットごとに、使用する原材料ごとの使用予定量を格納している。製品ロット別原材料ロット引当情報ファイル１１３には、製品ロット別原材料使用予定量情報ファイル１１２に対応付けた、引当済みの原材料のロットおよび数量を格納している。
【００１６】
これらの入力ファイルの情報は、予めオペレータがコンピュータなどに入力し、管理している情報であり、本例の在庫ロット引当管理システムに直接入力する方法や、他の管理システムなどで管理されている情報を、ネットワークを介して入力する方法や、外部媒体を介して入力する方法などがある。また、入力ファイル１１０の形式としては、ファイル形式、データベース形式などが考えられるが、本例においては、ファイル形式で管理されているものとして説明を行う。
【００１７】
次に、処理部１２０の構成について説明する。処理部１２０は、データやプログラムを記憶する記憶装置であるメモリ１０１、入力ファイル１１０からファイルのデータを読み込み、メモリ１０１に格納するデータ取得部１２１、メモリ１０１に保持された情報を基に原材料のロットごとの引当可能量を算出する引当可能量計算部１２２、メモリ１０１に保持された情報を基に、原材料ごとの引当未実施使用予定量を算出する引当未実施使用予定量計算部１２３、メモリ１０１に保持された情報及び上記各計算部により算出された情報から画面情報を生成し、入出力装置１３０に表示する情報表示部１２４から構成する。
【００１８】
本例では、データ取得部１２１により入力ファイル１１０から読み込んだデータをメモリ１０１に格納し、メモリ１０１上のデータを基に引当可能量計算部１２２及び引当未実施使用予定量計算部１２３が計算処理を実行して、その算出結果もメモリ１０１に格納する。そのため、情報表示部１２４は、メモリ１０１に格納されたデータから画面情報を生成して情報を表示するよう処理を行う。
【００１９】
次に、図２〜図４を参照して、入力ファイル１１０を構成する各ファイルのデータ構成例について説明する。
【００２０】
図２は、原材料ロット別在庫保有量情報ファイル１１１のデータ構成例を示している。原材料ロット別在庫保有量情報ファイル１１１には、原材料のロットごとの在庫保有量を格納し、原材料を表す原材料コード２０１、原材料のロットを表す原材料ロット２０２、ロットごとの在庫保有量２０３から構成する。図２の例では、原材料としてＭ００１とＭ００２の２種類があり、原材料Ｍ００１の原材料ロット２０２はＬＯＴＡとＬＯＴＢの２種類、原材料Ｍ００２の原材料ロット２０２はＬＯＴＣの１種類で、それぞれの在庫保有量２０３は、２０、１００、５０となっている。
【００２１】
図３は、製品ロット別原材料使用予定量情報ファイル１１２のデータ構成例を示している。製品ロット別原材料使用予定量情報ファイル１１２には、製造する製品のロットごとに、使用する原材料ごとの使用予定量を格納し、製品を表す製品コード３０１、製品のロットを表す製品ロット３０２、製品ロットに使用する原材料を表す原材料コード２０１、原材料の使用予定量３０３から構成する。図３の例では、製品としてＰ００１とＰ００２の２種類があり、製品Ｐ００１の製品ロットＬＯＴＤを製造するために使用する原材料はＭ００１とＭ００２であり、それぞれの使用予定量３０３は２０、１０となっている。同様に、製品Ｐ００２の製品ロットＬＯＴＥを製造するために使用する原材料はＭ００１とＭ００２であり、それぞれの使用予定量３０３は１００、３０となっている。
【００２２】
図４は、製品ロット別原材料ロット引当情報ファイル１１３のデータ構成例を示している。製品ロット別原材料ロット引当情報ファイル１１３には、製品ロット別原材料使用予定量情報ファイル１１２に対応付けた、引当済みの原材料のロットおよび数量を格納し、製品コード３０１、製品ロット３０２、製品ロットに使用する原材料コード２０１、原材料として使用する原材料ロット２０２、原材料ロットの引当量４０１から構成する。図４の例では、製品Ｐ００１の製品ロットＬＯＴＤで使用する原材料として、原材料Ｍ００１のロットＬＯＴＢと原材料Ｍ００２のロットＬＯＴＣを引き当てており、それぞれの引当量４０１は２０、１０となっている。
【００２３】
次に、各計算部の処理内容を説明する。計算部の処理は引当可能量計算部１２２、引当未実施使用予定量計算部１２３の順に実行する。各計算部は、データ取得部１２１が入力ファイル１１０から読み込み、メモリ１０１に格納したデータを参照して計算処理を行い、その計算結果をメモリ１０１に格納する。
【００２４】
まず、各処理部によりメモリ１０１上に格納するデータについて説明する。データ取得部１２１が、入力ファイル１１０から読み込み、メモリ１０１上に格納するデータについては、原材料ロット別在庫保有量情報ファイル１１１のデータは原材料ロット別在庫保有量情報１３１、製品ロット別原材料使用予定量情報ファイル１１２のデータは製品ロット別原材料使用予定量情報１３２、製品ロット別原材料ロット引当情報ファイル１１３のデータは製品ロット別原材料ロット引当情報１３３と称す。また、引当未実施使用予定量計算部１２３によりメモリ１０１に生成する情報は、引当未実施使用予定量情報１３４と称す。これらメモリ１０１上の情報は、入力ファイル１１０と同様にファイル形式、データベース形式などの形式で管理できるが、本例ではファイル形式で管理されるものとして説明する。これらの情報のうち、原材料ロット別在庫保有量情報１３１、製品ロット別原材料使用予定量情報１３２、引当未実施使用予定量情報１３４のデータ構成例を図７〜図９に示す。図中、入力ファイル１１０の各ファイル上のデータ項目に対応する項目には同じ符号を付けている。また、入力ファイル１１０のデータ項目に対応する項目の他に、以下で説明する各計算部で算出したデータに対応するデータ項目を追加し、計算結果を設定する。なお、製品ロット別原材料ロット引当情報１３３は、製品ロット別原材料ロット引当情報ファイル１１３と同じデータ構成のため、図示しない。
【００２５】
次に、引当可能量計算部１２２の処理内容について図５を参照して説明する。図５は、引当可能量計算部１２２の処理例を示すフローチャートである。引当可能量計算部１２２は、製品ロット別原材料ロット引当情報１３３の引当量４０１を、原材料コード２０１と原材料ロット２０２の組み合わせごとに合算し、本合算値を、原材料ロット別在庫保有量情報１３１の中で原材料コード２０１と原材料ロット２０２が一致するレコードの引当済量７０１に設定する（ステップＳ５１）。次に、原材料ロット別在庫保有量情報１３１の在庫保有量２０３から本合算値を差し引いた値を引当可能量として算出し、引当可能量７０２に設定する（ステップＳ５２）。次に、製品ロット別原材料ロット引当情報１３３の引当量４０１を、製品コード３０１と製品ロット３０２と原材料コード２０１の組み合わせごとに合算し、本合算値を、製品ロット別原材料使用予定量情報１３２の中で製品コード３０１と製品ロット３０２と原材料コード２０１が一致するレコードの引当実施量８０１に設定する（ステップＳ５３）。次に、製品ロット別原材料使用予定量情報１３２の使用予定量３０３から本合算値を差し引いた値を引当未実施量として算出し、引当未実施量８０２に設定する（ステップＳ５４）。
【００２６】
次に、引当未実施使用予定量計算部１２３の処理内容について図６を参照して説明する。図６は、引当未実施使用予定量計算部１２３の処理例を示すフローチャートである。引当未実施使用予定量計算部１２３は、製品ロット別原材料使用予定量情報１３２の引当未実施量８０２を、原材料コード２０１ごとに合算する（ステップＳ６１）。次に、原材料ロット別在庫保有量情報１３１の在庫保有量２０３を原材料コード２０１ごとに合算する（ステップＳ６２）。同様に、原材料ロット別在庫保有量情報１３１の引当済量７０１を原材料コード２０１ごとに合算し（ステップＳ６３）、引当可能量７０２を原材料コード２０１ごとに合算する（ステップＳ６４）。最後に、メモリ１０１に引当未実施使用予定量情報１３４を生成し、算出した各合算値を設定する（ステップＳ６５）。引当未実施使用予定量情報１３４には、各合計値を原材料コード２０１ごとに設定し、引当未実施量８０２の合計値は引当未実施使用予定量９０４に設定し、在庫保有量２０３の合算値は在庫保有総量９０１に設定し、引当済量７０１の合算値は引当済総量９０２に設定し、引当可能量７０２の合算値は引当可能総量９０３に設定する。
【００２７】
図１０は、情報表示部１２４が出力する画面の一例を示している。図１０を参照して、情報表示部１２４がオペレータに提供する情報の内容について説明する。
【００２８】
情報表示部１２４は、メモリ１０１に格納されたデータを基に画面情報を生成して、入出力装置１３０のディスプレイなどに情報を表示する。オペレータは、表示された情報を参照し、引当対象のロットや引当量などを検討して手動引当を行う。
【００２９】
表示画面１０は、製品ロット別原材料使用予定量情報欄１１、原材料ロット引当情報（製品ロット別抽出）欄１２、引当未実施使用予定量情報欄１３、在庫保有情報（原材料別抽出）欄１４、原材料ロット引当情報（原材料ロット別抽出）欄１５から構成する。
【００３０】
製品ロット別原材料使用予定量情報欄１１には、製品ロット別原材料使用予定量情報１３２のデータを出力する。本例では、製品ロット別原材料使用予定量情報１３２の各データ項目に対応したデータを一覧表の形式で表示する。また、一覧表の各レコードの左側には選択欄２１を設け、オペレータが参照したい情報を選択することができる。
【００３１】
原材料ロット引当情報（製品ロット別抽出）欄１２には、オペレータにより、製品ロット別原材料使用予定量情報欄１１のレコードが選択された場合に、製品ロット別原材料ロット引当情報１３３の中から、製品コード３０１と製品ロット３０２と原材料コード２０１が、選択された製品ロット別原材料使用予定量情報欄１１のレコードのデータと一致する情報を抽出して、一覧表の形式で表示する。
【００３２】
また、引当未実施使用予定量情報欄１３には、引当未実施使用予定量情報１３４の中から、原材料コード２０１がオペレータにより選択された製品ロット別原材料使用予定量情報欄１１のレコードのデータと一致する情報を抽出して表示する。本例では、該当するレコードの情報をデータ項目名称とその値を列挙する形で表示しているが、他の情報と同様に一覧表の形式で表示することもできる。
【００３３】
在庫保有情報（原材料別抽出）欄１４には、原材料ロット別在庫保有量情報１３１の中から、原材料コード２０１がオペレータにより選択された製品ロット別原材料使用予定量情報欄１１のレコードのデータと一致する情報を抽出して出力する。本例では、原材料ロット別在庫保有量情報１３１の各データ項目に対応したデータを一覧表の形式で表示する。また、一覧表の各レコードの左側には選択欄２２を設け、オペレータが参照したい情報を選択することができる。
【００３４】
原材料ロット引当情報（原材料ロット別抽出）欄１５には、オペレータにより、在庫保有情報（原材料別抽出）欄１４のレコードが選択された場合に、製品ロット別原材料ロット引当情報１３３の中から、原材料コード２０１と原材料ロット２０２が、選択された在庫保有情報（原材料別抽出）欄１４のレコードのデータと一致する情報を抽出して、一覧表の形式で表示する。
【００３５】
なお、本例では、各表示情報を同一画面上に予め表示させた一覧表の枠内に表示する方法をとっているが、選択項目に関連する情報をポップアップ画面などの別画面を表示させて表示する方法など、他の表示形式も可能である。
【００３６】
次に、図１０を参照して、各表示情報の具体例について説明する。まず、本画面を表示した際には、最初に製品ロット別原材料使用予定量情報欄１１に、製品ロット別原材料使用予定量情報１３２を出力する。図１０の画面表示例では、図８に示した製品ロット別原材料使用予定量情報１３２のデータを参照して表示した場合の例を示している。ここで、オペレータが製品Ｐ００２の製品ロットＬＯＴＥの原材料Ｍ００１に関する情報を表示させるために、当該レコードの選択欄２１を選択する場合について説明する。
【００３７】
本例では、製品ロット別原材料ロット引当情報１３３の中に、上記選択された製品Ｐ００２に対応するデータが登録されていないため、原材料ロット引当情報（製品ロット別抽出）欄１２には何も出力されない。一方、引当未実施使用予定量情報欄１３には、引当未実施使用予定量情報１３４から、上記選択された原材料Ｍ００１に対応する情報を抽出し、その内容を出力する。ここでは、原材料Ｍ００１の引当未実施使用予定量が１００、引当可能総量が１００であり、引当未実施使用予定量が引当可能総量を上回っていないので、在庫総量としては不足が発生しないことが分かる。
【００３８】
また、在庫保有情報（原材料別抽出）欄１４には、原材料ロット別在庫保有量情報１３１のうち、上記選択された原材料Ｍ００１に対応する情報を抽出し、その内容を出力する。この際、製品ロット別原材料使用予定量情報欄１１で選択されたレコードの、引当未実施量以上の在庫保有量となっているレコードに関するデータを色替え表示する。ここでは、原材料ロット別在庫保有量情報１３１から、原材料Ｍ００１に対応する原材料ロットＬＯＴＡ、ＬＯＴＢに関する情報を抽出し、２つのレコードで表示する。そのうち、ＬＯＴＢの在庫保有量が１００であり、選択されたレコードの引当未実施量１００以上のため、ＬＯＴＢに関するレコードのデータを色替え表示する。これにより、引当未実施の原材料に関して、在庫保有量が引当未実施量以上ある原材料ロットが存在し、在庫保有量としては不足がないことを容易に判断できる。
【００３９】
一方、在庫保有情報（原材料別抽出）欄１４には、引当可能量も表示しており、ここでは原材料Ｍ００１の引当可能量の最大は８０であることが分かる。つまり、製品Ｐ００２のロットＬＯＴＥに使用する原材料Ｍ００１の使用予定量は１００であるので、単一の原材料ロットでは引当てることができないことを表している。
【００４０】
更に、在庫保有情報（原材料別抽出）欄１４には、選択欄２２があり、オペレータが選択することにより、選択したレコードの原材料ロットに関する情報を原材料ロット引当情報（原材料ロット別抽出）欄１５に表示することができる。ここでは、在庫保有情報（原材料別抽出）欄１４の原材料Ｍ００１のロットＬＯＴＢのレコードを選択した場合の例を示している。原材料ロット引当情報（原材料ロット別抽出）欄１５には、製品ロット別原材料ロット引当情報１３３から、上記選択された原材料Ｍ００１のロットＬＯＴＢに対応する情報を抽出し、その内容を出力する。ここでは、原材料Ｍ００１のロットＬＯＴＢを、製品Ｐ００１のロットＬＯＴＤで２０引当ていることがわかる。つまり、製品Ｐ００１のロットＬＯＴＤで引当てる原材料Ｍ００１のロットを、ＬＯＴＢではなくＬＯＴＡに変更すれば、製品Ｐ００２のロットＬＯＴＥに対する原材料Ｍ００１の使用予定量の全量を、ＬＯＴＢから一括して引当てることが可能になることがわかる。
【００４１】
このように、本例では、引当可能な在庫ロットの情報を提供するとともに、原材料別、ロット別の引当済量や引当可能量、引当未実施の使用予定量などの情報を提供することにより、通常管理している在庫保有量などの情報だけでは判断できない、引当可否の判断を可能にすることができる。更に、これらの情報を基に、オペレータが引当てる原材料ロットの調整をすることができるため、効率的、経済的に在庫管理を行うことができる。
【図面の簡単な説明】
【００４２】
【図１】本発明の一実施の形態による構成例を示すブロック図である。
【図２】本発明の一実施の形態による原材料ロット別在庫保有量情報ファイルのデータ構成例を示す説明図である。
【図３】本発明の一実施の形態による製品ロット別原材料使用予定量情報ファイルのデータ構成例を示す説明図である。
【図４】本発明の一実施の形態による製品ロット別原材料ロット引当情報ファイルのデータ構成例を示す説明図である。
【図５】本発明の一実施の形態による引当可能量計算部の処理例を示すフローチャートである。
【図６】本発明の一実施の形態による引当未実施使用予定量計算部の処理例を示すフローチャートである。
【図７】本発明の一実施の形態による原材料ロット別在庫保有量情報のデータ構成例を示す説明図である。
【図８】本発明の一実施の形態による製品ロット別原材料使用予定量情報のデータ構成例を示す説明図である。
【図９】本発明の一実施の形態による引当未実施使用予定量情報のデータ構成例を示す説明図である。
【図１０】本発明の一実施の形態による画面表示例を示す説明図である。
【符号の説明】
【００４３】
１０１…メモリ、１１０…入力ファイル、１１１…原材料ロット別在庫保有量情報ファイル、１１２…製品ロット別原材料使用予定量情報ファイル、１１３…製品ロット別原材料ロット引当情報ファイル、１２０…処理部、１２１…データ取得部、１２２…引当可能量計算部、１２３…引当未実施使用予定量計算部、１２４…情報表示部、１３０…入出力装置
【図１】
2008152466.tif 000003
【図２】
2008152466.tif 000004
【図３】
2008152466.tif 000005
【図４】
2008152466.tif 000006
【図５】
2008152466.tif 000007
【図６】
2008152466.tif 000008
【図７】
2008152466.tif 000009
【図８】
2008152466.tif 000010
【図９】
2008152466.tif 000011
【図１０】
2008152466.tif 000012